(57)【要約】  入力された映像信号をもとに画面全体を分割して、各々フィルム映像検出を行う（Ｓ１０１）。この検出結果をもとにフィルム映像なしの場合（Ｓ１０３）と全面フィルム映像の場合（Ｓ１０５）とが切り分けられ、フィルム領域とフィルム領域外との双方が含まれている場合は、フィルム領域と判定された領域を更に分割してフィルム映像検出を行う（Ｓ１０６）。この結果は全てがフィルム領域かどうかを判定するステップ（Ｓ１０７）に入力され、全てがフィルム領域となるまで繰り返し判定が行われ、全てがフィルム領域と判定された場合、フィルム映像領域を決定（Ｓ１０８）して処理が終了する。このようにして、フィルム映像とそれ以外とが混在する画面中のフィルム映像領域を正確に検出する。
2010137084.tif 000002
【特許請求の範囲】
【請求項１】
入力された映像信号をもとに画面全体を分割して各々フィルム映像検出を行う第１のフィルム検出ステップと、
前記第１のフィルム検出ステップの結果からフィルム映像領域を判定する第１の領域判定ステップと、
前記第１の領域判定ステップにてフィルム映像領域と判定された領域を更に分割して各々フィルム映像検出を行う第２のフィルム検出ステップと、
前記第２のフィルム検出ステップの結果からフィルム映像領域を判定する第２の領域判定ステップとを備え、
同様のフィルム検出ステップと領域判定ステップとをｍ（ｍは整数）回繰り返してフィルム映像領域を特定することにより、フィルム映像領域を検出することを特徴とするフィルム映像領域検出方法。
【請求項２】
請求項１記載のフィルム映像領域検出方法において、
前記フィルム検出ステップと領域判定ステップとをｍ回繰り返した後、フィルム映像検出を行う領域に左右又は上下の領域を追加したうえ、同様のフィルム検出ステップと領域判定ステップとを更に繰り返して境界部分の調整を行う領域調整ステップを更に備えたことを特徴とするフィルム映像領域検出方法。
【請求項３】
入力された映像信号をもとに画面全体を分割して各々フィルム映像検出を行う第１のフィルム検出ステップと、
前記第１のフィルム検出ステップの結果からフィルム映像領域を判定する第１の領域判定ステップと、
前記第１の領域判定ステップにてフィルム映像領域と判定された領域より広い領域を更に分割して各々フィルム映像検出を行う第２のフィルム検出ステップと、
前記第２のフィルム検出ステップの結果からフィルム映像領域を判定する第２の領域判定ステップとを備え、
同様のフィルム検出ステップと領域判定ステップとをｍ（ｍは整数）回繰り返してフィルム映像領域を特定することにより、フィルム映像領域を検出することを特徴とするフィルム映像領域検出方法。
【請求項４】
入力された映像信号をもとに画面全体を分割して各々フィルム映像検出を行う第１のフィルム検出ステップと、
前記第１のフィルム検出ステップの結果からフィルム映像領域を判定する第１の領域判定ステップと、
前記第１の領域判定ステップにてフィルム映像領域と判定された領域を次フィールド又は次フレームにて更に分割して各々フィルム映像検出を行う第２のフィルム検出ステップと、
前記第２のフィルム検出ステップの結果からフィルム映像領域を判定する第２の領域判定ステップとを備え、
同様のフィルム検出ステップと領域判定ステップとを複数フィールド又は複数フレームに渡ってｍ（ｍは整数）回繰り返してフィルム映像領域を特定することにより、フィルム映像領域を検出することを特徴とするフィルム映像領域検出方法。
【請求項５】
請求項４記載のフィルム映像領域検出方法において、
前記フィルム検出ステップと領域判定ステップとを複数フィールド又は複数フレームに渡ってｍ回繰り返した後、フィルム映像検出を行う領域に左右又は上下の領域を追加したうえ、同様のフィルム検出ステップと領域判定ステップとを更に繰り返して境界部分の調整を行う領域調整ステップを更に備えたことを特徴とするフィルム映像領域検出方法。
【請求項６】
入力された映像信号をもとに画面全体を分割して各々フィルム映像検出を行う第１のフィルム検出ステップと、
前記第１のフィルム検出ステップの結果からフィルム映像領域を判定する第１の領域判定ステップと、
前記第１の領域判定ステップにてフィルム映像領域と判定された領域より広い領域を次フィールド又は次フレームにて更に分割して各々フィルム映像検出を行う第２のフィルム検出ステップと、
前記第２のフィルム検出ステップの結果からフィルム映像領域を判定する第２の領域判定ステップとを備え、
同様のフィルム検出ステップと領域判定ステップとを複数フィールド又は複数フレームに渡ってｍ（ｍは整数）回繰り返してフィルム映像領域を特定することにより、フィルム映像領域を検出することを特徴とするフィルム映像領域検出方法。
【請求項７】
入力された映像信号をもとに画面全体を分割して各々フィルム映像検出を行う第１のフィルム検出ステップと、
前記第１のフィルム検出ステップの結果からフィルム映像領域以外を判定する第１の領域判定ステップと、
前記第１の領域判定ステップにてフィルム映像領域以外と判定された領域を更に分割して各々フィルム映像検出を行う第２のフィルム検出ステップと、
前記第２のフィルム検出ステップの結果からフィルム映像領域以外を判定する第２の領域判定ステップとを備え、
同様のフィルム検出ステップと領域判定ステップとをｍ（ｍは整数）回繰り返してフィルム映像領域以外を特定することにより、フィルム映像領域を検出することを特徴とするフィルム映像領域検出方法。
【請求項８】
請求項７記載のフィルム映像領域検出方法において、
前記フィルム検出ステップと領域判定ステップとをｍ回繰り返した後、フィルム映像検出を行う領域に左右又は上下の領域を追加したうえ、同様のフィルム検出ステップと領域判定ステップとを更に繰り返して境界部分の調整を行う領域調整ステップを更に備えたことを特徴とするフィルム映像領域検出方法。
【請求項９】
入力された映像信号をもとに画面全体を分割して各々フィルム映像検出を行う第１のフィルム検出ステップと、
前記第１のフィルム検出ステップの結果からフィルム映像領域以外を判定する第１の領域判定ステップと、
前記第１の領域判定ステップにてフィルム映像領域以外と判定された領域より広い領域を更に分割して各々フィルム映像検出を行う第２のフィルム検出ステップと、
前記第２のフィルム検出ステップの結果からフィルム映像領域以外を判定する第２の領域判定ステップとを備え、
同様のフィルム検出ステップと領域判定ステップとをｍ（ｍは整数）回繰り返してフィルム映像領域以外を特定することにより、フィルム映像領域を検出することを特徴とするフィルム映像領域検出方法。
【請求項１０】
入力された映像信号をもとに画面全体を分割して各々フィルム映像検出を行う第１のフィルム検出ステップと、
前記第１のフィルム検出ステップの結果からフィルム映像領域以外を判定する第１の領域判定ステップと、
前記第１の領域判定ステップにてフィルム映像領域以外と判定された領域を次フィールド又は次フレームにて更に分割して各々フィルム映像検出を行う第２のフィルム検出ステップと、
前記第２のフィルム検出ステップの結果からフィルム映像領域以外を判定する第２の領域判定ステップとを備え、
同様のフィルム検出ステップと領域判定ステップとを複数フィールド又は複数フレームに渡ってｍ（ｍは整数）回繰り返してフィルム映像領域以外を特定することにより、フィルム映像領域を検出することを特徴とするフィルム映像領域検出方法。
【請求項１１】
請求項１０記載のフィルム映像領域検出方法において、
前記フィルム検出ステップと領域判定ステップとを複数フィールド又は複数フレームに渡ってｍ回繰り返した後、フィルム映像検出を行う領域に左右又は上下の領域を追加したうえ、同様のフィルム検出ステップと領域判定ステップとを更に繰り返して境界部分の調整を行う領域調整ステップを更に備えたことを特徴とするフィルム映像領域検出方法。
【請求項１２】
入力された映像信号をもとに画面全体を分割して各々フィルム映像検出を行う第１のフィルム検出ステップと、
前記第１のフィルム検出ステップの結果からフィルム映像領域以外を判定する第１の領域判定ステップと、
前記第１の領域判定ステップにてフィルム映像領域以外と判定された領域より広い領域を次フィールド又は次フレームにて更に分割して各々フィルム映像検出を行う第２のフィルム検出ステップと、
前記第２のフィルム検出ステップの結果からフィルム映像領域以外を判定する第２の領域判定ステップとを備え、
同様のフィルム検出ステップと領域判定ステップとを複数フィールド又は複数フレームに渡ってｍ（ｍは整数）回繰り返してフィルム映像領域以外を特定することにより、フィルム映像領域を検出することを特徴とするフィルム映像領域検出方法。
【発明の詳細な説明】
【技術分野】
【０００１】
本発明は、テレビジョン受像機等において、フィルム映像信号が入力されている場合のフィルム映像領域検出方法に関するものである。
【背景技術】
【０００２】
近年、液晶表示デバイスやプラズマ表示デバイス等を用いたテレビジョン受像機において、大画面化、高精細化に伴い、より高画質な映像を表示することが重要視されてきており、入力映像信号の状態に応じてインターレース・プログレッシブ変換、フレームレート変換、ノイズリダクション、輪郭補正等を行う映像処理が重要視されてきている。【０００３】
また、２−３プルダウン方式で形成されたフィルム映像信号を表示することも多くなり、フィルム映像信号を検出し、インターレース信号をノンインターレース信号に変換することも考えられており、フィルム映像の高画質化の要望も高く、フィルム映像に対応した映像処理方法も重要視されてきている。【０００４】
更に、フィルム映像とフィルム映像以外の通常の放送や番組表の表示等、複数の画面を同時に表示する機会が増えてきており、フィルム映像とそれ以外との境界やフィルム映像の領域を正しく判定することが重要となってきている。【０００５】
従来のフィルム映像検出方法では、例えば画面分割部で入力画像を複数のブロックに分割し、特徴量算出部でブロック毎に特徴量を求める。特徴量は、２フィールド前の対応ブロックとの間の画素値の差分絶対値和である。判定部では、ブロック毎の特徴量を閾値判定する。繰り返しフィールド総合判定部は、判定部の判定結果が１ブロックでも閾値を超えていたら、そのフィールドが繰り返しフィールドではないと判定する（特許文献１参照）。
【先行技術文献】
【特許文献】
【０００６】
【特許文献１】特開２００４−２０１０１０号公報（図３）
【発明の概要】
【発明が解決しようとする課題】
【０００７】
上記のような従来のフィルム映像検出方法では、２−３プルダウン素材に字幕画像が合成された素材について、字幕があるか否かは検出できるが、２−３プルダウン素材と字幕等の通常の素材との境界部分やフィルム映像領域の大きさを正確に検出することができなかった。また、フィルム素材と通常の素材との境界部分を検出することでフィルム映像の領域を正確に検出することにより、フィルム用の映像信号処理と通常の映像信号処理とを領域に応じて切り換えることができなかった。【０００８】
本発明は、上記の点に鑑み、フィルム映像領域の検出精度を向上させたフィルム映像領域検出方法を提供し、また当該フィルム映像領域検出方法を利用してテレビジョン受像機の画質を向上させることを目的とする。
【課題を解決するための手段】
【０００９】
上記課題を解決するため、本発明によれば、例えば、２−３プルダウン方式のフィルム映像では５フィールドに一度の割合で同じ信号が伝送されていることを利用してフィルム映像検出を行うこととし、最初は画面全体を分割して各々フィルム映像検出を行い、その検出結果からフィルム映像領域を判定し、ここでフィルム映像領域と判定された領域を更に分割して各々フィルム映像検出を行い、その検出結果からフィルム映像領域をより高精度で判定し、同様のフィルム検出ステップと領域判定ステップとを繰り返すことによりフィルム映像領域を正確に検出する。フィルム映像領域の検出精度を改善することでフィルム映像領域とそれ以外の領域との映像処理を切り換えることが可能となり、画質を向上させることができる。【００１０】
なお、上記フィルム映像領域を判定する領域判定ステップを、フィルム映像領域以外を判定するステップに置き換えることも可能である。この場合には、フィルム映像領域以外を特定することにより、結果としてフィルム映像領域を正確に検出することができる。
【発明の効果】
【００１１】
本発明によれば、複数に分割した領域毎に例えば２−３プルダウン方式のフィルム映像において同一映像信号が伝送されるところよりフィルム映像を検出し、フィルム映像領域と判定された領域を更に分割してフィルム映像を検出することにより、フィルム映像領域を正確に特定することができ、フィルム映像領域の大きさや境界の検出精度を向上させることができる。【００１２】
また、最初に画面の大きな分割領域からフィルム映像検出を行い、順次フィルム映像領域を絞り込んでいくことで、フィルム映像領域の検出漏れがなく、フィルム映像領域を正確に検出することが可能であり、領域を絞り込む場合にフィルム映像領域と判定された領域より広い領域から更に絞り込みを行うことや、フィルム映像領域を左右や上下に変化させることで検出精度を改善することができる。【００１３】
また、このフィルム映像領域検出方法を映像信号処理に適用し、フィルム映像と通常の映像との処理や設定を切り換えることにより、それぞれの映像に最適な処理や設定に切り換えることができ、画質向上を図ることができる。
【図面の簡単な説明】
【００１４】
【図１】本発明の実施形態１のフィルム映像領域検出方法のフローチャートである。
【図２】（ａ）〜（ｃ）は本発明の実施形態１のフィルム映像領域検出方法の画面分割処理を示す処理イメージ図である。
【図３】本発明の実施形態２のフィルム映像領域検出方法のフローチャートである。
【図４】本発明の実施形態３のフィルム映像領域検出方法のフローチャートである。
【図５】本発明の実施形態４のフィルム映像領域検出方法のフローチャートである。
【図６】（ａ）〜（ｃ）は本発明の実施形態４のフィルム映像領域検出方法の画面分割処理を示す処理イメージ図である。
【図７】本発明の実施形態５のフィルム映像領域検出方法のフローチャートである。
【図８】本発明の実施形態６のフィルム映像領域検出方法のフローチャートである。
【図９】本発明の実施形態７のフィルム映像領域検出方法のフローチャートである。
【図１０】本発明の実施形態８のフィルム映像領域検出方法のフローチャートである。
【図１１】本発明の実施形態９のフィルム映像領域検出方法のフローチャートである。
【図１２】本発明の実施形態１０のフィルム映像領域検出方法のフローチャートである。
【図１３】本発明の実施形態１１のフィルム映像領域検出方法のフローチャートである。
【図１４】本発明の実施形態１２のフィルム映像領域検出方法のフローチャートである。
【発明を実施するための形態】
【００１５】
以下、本発明の実施形態を図面に基づいて詳細に説明する。
【００１６】
《実施形態１》
図１は、本発明の実施形態１のフィルム映像領域検出方法を示すフローチャートである。図１によれば、入力された映像信号につき、画面を複数の領域に分割して分割された領域毎にフィルム検出するステップＳ１０１にて、領域毎にフィルム映像検出を行う。この検出結果はフィルム領域があるかどうかを判定するステップＳ１０２に入力され、フィルム領域がないと判定された場合はフィルム映像がないと判定する（ステップＳ１０３）。フィルム映像がある場合は全てがフィルム領域かどうかを判定するステップＳ１０４に入力され、全てがフィルム領域と判定された場合は全面フィルム映像と判定し（ステップＳ１０５）、フィルム領域外が含まれている場合は、フィルム領域と判定された領域を分割してフィルム検出するステップＳ１０６にて、更に分割された領域のフィルム映像検出を行う。この結果は全てがフィルム領域かどうかを判定するステップＳ１０７に入力され、全てがフィルム領域となるまで繰り返し判定が行われ、全てがフィルム領域と判定された場合、フィルム映像領域を決定（ステップＳ１０８）して処理が終了する。
【００１７】
図２（ａ）〜図２（ｃ）は、図１のフローチャートによる画面分割イメージ図である。図２（ａ）は、入力された映像を画面全体１０で分割され、分割された領域毎にフィルム映像検出を行い、フィルム領域と判定された領域に丸印を記載している。図２（ｂ）は、図２（ａ）のフィルム領域１１を更に分割してフィルム映像検出を行い、フィルム領域と判定された領域に丸印を記載している。図２（ｃ）は、図２（ｂ）のフィルム領域１２を更に分割してフィルム映像検出を行い、フィルム領域と判定された領域に丸印を記載しており、全てがフィルム映像領域となるまで繰り返し処理が行われる。
【００１８】
なお、フィルム領域があるかの判定ステップＳ１０２と、全てフィルム領域かの判定ステップＳ１０４との処理順を入れ替えても同様の効果が得られ、入れ替えても問題なく、以降の実施の形態でも同様に入れ替えても問題ない。
【００１９】
また、大まかな領域を検出したい場合は全ての領域にてフィルム映像検出する以前に整数回繰り返した後に処理を終了してもよい。
【００２０】
《実施形態２》
図３は、本発明の実施形態２のフィルム映像領域検出方法を示すフローチャートである。図３によれば、入力された映像信号につき、画面を複数の領域に分割して分割された領域毎にフィルム検出するステップＳ３０１にて、領域毎にフィルム映像検出を行う。この検出結果はフィルム領域があるかどうかを判定するステップＳ３０２に入力され、フィルム領域がないと判定された場合はフィルム映像がないと判定する（ステップＳ３０３）。フィルム映像がある場合は全てがフィルム領域かどうかを判定するステップＳ３０４に入力され、全てがフィルム領域と判定された場合は全面フィルム映像と判定し（ステップＳ３０５）、フィルム領域外が含まれている場合は、フィルム領域と判定された領域を分割してフィルム検出するステップＳ３０６にて、更に分割された領域のフィルム映像検出を行う。この結果は全てがフィルム領域かどうかを判定するステップＳ３０７に入力され、全てがフィルム領域となるまで繰り返し判定が行われ、全てがフィルム領域と判定された場合、フィルム映像領域に左右又は上下の領域を追加してフィルム映像検出を行う（ステップＳ３０８）。この結果は全てがフィルム領域かどうかを判定するステップＳ３０９に入力され、全てがフィルム領域と判定された場合はフィルム映像領域を決定し（ステップＳ３１０）、フィルム領域外が含まれている場合は、フィルム領域と判定された領域を分割してフィルム検出するステップＳ３１１にて、更に分割された領域のフィルム映像検出を行う。この結果は全てがフィルム領域かどうかを判定するステップＳ３１２に入力され、全てがフィルム領域となるまで繰り返し判定が行われ、全てがフィルム領域と判定された場合、フィルム映像領域を決定（ステップＳ３１３）して処理が終了する。
【００２１】
《実施形態３》
図４は、本発明の実施形態３のフィルム映像領域検出方法を示すフローチャートである。図４によれば、入力された映像信号につき、画面を複数の領域に分割して分割された領域毎にフィルム検出するステップＳ４０１にて、領域毎にフィルム映像検出を行う。この検出結果はフィルム領域があるかどうかを判定するステップＳ４０２に入力され、フィルム領域がないと判定された場合はフィルム映像がないと判定する（ステップＳ４０３）。フィルム映像がある場合は全てがフィルム領域かどうかを判定するステップＳ４０４に入力され、全てがフィルム領域と判定された場合は全面フィルム映像と判定し（ステップＳ４０５）、フィルム領域外が含まれている場合は、フィルム領域と判定された領域の周辺を広げてその広げた領域を分割してフィルム検出するステップＳ４０６にて、更に分割された領域のフィルム映像検出を行う。この結果は全てがフィルム領域かどうかを判定するステップＳ４０７に入力され、全てがフィルム領域となるまで繰り返し判定が行われ、全てがフィルム領域と判定された場合、フィルム映像領域を決定（ステップＳ４０８）して処理が終了する。
【００２２】
《実施形態４》
図５は、本発明の実施形態４のフィルム映像領域検出方法を示すフローチャートである。図５によれば、入力された映像信号につき、画面を複数の領域に分割して分割された領域毎にフィルム検出するステップＳ５０１にて、領域毎にフィルム映像検出を行う。この検出結果はフィルム領域があるかどうかを判定するステップＳ５０２に入力され、フィルム領域がないと判定された場合はフィルム映像がないと判定する（ステップＳ５０３）。フィルム映像がある場合は全てがフィルム領域かどうかを判定するステップＳ５０４に入力され、全てがフィルム領域と判定された場合は全面フィルム映像と判定し（ステップＳ５０５）、フィルム領域外が含まれている場合は、フィルム領域と判定された領域を次フィールド又は次フレームにて分割してフィルム検出するステップＳ５０６にて、更に分割された領域のフィルム映像検出を行う。この結果は全てがフィルム領域かどうかを判定するステップＳ５０７に入力され、全てがフィルム領域となるまで複数フィールド又は複数フレームにて繰り返し判定が行われ、全てがフィルム領域と判定された場合、フィルム映像領域を決定（ステップＳ５０８）して処理が終了する。
【００２３】
図６（ａ）〜図６（ｃ）は、図５のフローチャートによる画面分割イメージ図である。図６（ａ）は、入力された映像を画面全体２０で分割され、分割された領域毎にフィルム映像検出を行い、フィルム領域と判定された領域に丸印を記載している。図６（ｂ）は、図６（ａ）のフィルム領域２１を次フィールド又は次フレームにて更に分割してフィルム映像検出を行い、フィルム領域と判定された領域に丸印を記載している。図６（ｃ）は、図６（ｂ）のフィルム領域２２を次フィールド又は次フレームにて更に分割してフィルム映像検出を行い、フィルム領域と判定された領域に丸印を記載しており、全てがフィルム映像領域となるまで繰り返し処理が行われる。
【００２４】
《実施形態５》
図７は、本発明の実施形態５のフィルム映像領域検出方法を示すフローチャートである。図７によれば、入力された映像信号につき、画面を複数の領域に分割して分割された領域毎にフィルム検出するステップＳ７０１にて、領域毎にフィルム映像検出を行う。この検出結果はフィルム領域があるかどうかを判定するステップＳ７０２に入力され、フィルム領域がないと判定された場合はフィルム映像がないと判定する（ステップＳ７０３）。フィルム映像がある場合は全てがフィルム領域かどうかを判定するステップＳ７０４に入力され、全てがフィルム領域と判定された場合は全面フィルム映像と判定し（ステップＳ７０５）、フィルム領域外が含まれている場合は、フィルム領域と判定された領域を次フィールド又は次フレームにて分割してフィルム検出するステップＳ７０６にて、更に分割された領域のフィルム映像検出を行う。この結果は全てがフィルム領域かどうかを判定するステップＳ７０７に入力され、全てがフィルム領域となるまで繰り返し判定が行われ、全てがフィルム領域と判定された場合、次フィールド又は次フレームにてフィルム映像領域に左右又は上下の領域を追加してフィルム映像検出を行う（ステップＳ７０８）。この結果は全てがフィルム領域かどうかを判定するステップＳ７０９に入力され、全てがフィルム領域と判定された場合はフィルム映像領域を決定し（ステップＳ７１０）、フィルム領域外が含まれている場合は、フィルム領域と判定された領域を次フィールド又は次フレームにて分割してフィルム検出するステップＳ７１１にて、更に分割された領域のフィルム映像検出を行う。この結果は全てがフィルム領域かどうかを判定するステップＳ７１２に入力され、全てがフィルム領域となるまで複数フィールド又は複数フレームにて繰り返し判定が行われ、全てがフィルム領域と判定された場合、フィルム映像領域を決定（ステップＳ７１３）して処理が終了する。
【００２５】
《実施形態６》
図８は、本発明の実施形態６のフィルム映像領域検出方法を示すフローチャートである。図８によれば、入力された映像信号につき、画面を複数の領域に分割して分割された領域毎にフィルム検出するステップＳ８０１にて、領域毎にフィルム映像検出を行う。この検出結果はフィルム領域があるかどうかを判定するステップＳ８０２に入力され、フィルム領域がないと判定された場合はフィルム映像がないと判定する（ステップＳ８０３）。フィルム映像がある場合は全てがフィルム領域かどうかを判定するステップＳ８０４に入力され、全てがフィルム領域と判定された場合は全面フィルム映像と判定し（ステップＳ８０５）、フィルム領域外が含まれている場合は、フィルム領域と判定された領域の周辺を次フィールド又は次フレームにて広げてその広げた領域を分割してフィルム検出するステップＳ８０６にて、更に分割された領域のフィルム映像検出を行う。この結果は全てがフィルム領域かどうかを判定するステップＳ８０７に入力され、全てがフィルム領域となるまで複数フィールド又は複数フレームにて繰り返し判定が行われ、全てがフィルム領域と判定された場合、フィルム映像領域を決定（ステップＳ８０８）して処理が終了する。
【００２６】
《実施形態７》
図９は、本発明の実施形態７のフィルム映像領域検出方法を示すフローチャートである。図９によれば、入力された映像信号につき、画面を複数の領域に分割して分割された領域毎にフィルム検出するステップＳ９０１にて、領域毎にフィルム映像検出を行う。この検出結果はフィルム領域があるかどうかを判定するステップＳ９０２に入力され、フィルム領域がないと判定された場合はフィルム映像がないと判定する（ステップＳ９０３）。フィルム映像がある場合はフィルム領域以外があるかどうかを判定するステップＳ９０４に入力され、全てがフィルム領域と判定された場合は全面フィルム映像と判定し（ステップＳ９０５）、フィルム領域外が含まれている場合は、フィルム領域以外と判定された領域を分割してフィルム検出するステップＳ９０６にて、更に分割された領域のフィルム映像検出を行う。この結果はフィルム領域があるかどうかを判定するステップＳ９０７に入力され、全てがフィルム領域以外となるまで繰り返し判定が行われ、全てがフィルム領域以外と判定された場合、フィルム映像領域以外を決定（ステップＳ９０８）して処理が終了する。
【００２７】
《実施形態８》
図１０は、本発明の実施形態８のフィルム映像領域検出方法を示すフローチャートである。図１０によれば、入力された映像信号につき、画面を複数の領域に分割して分割された領域毎にフィルム検出するステップＳ１００１にて、領域毎にフィルム映像検出を行う。この検出結果はフィルム領域があるかどうかを判定するステップＳ１００２に入力され、フィルム領域がないと判定された場合はフィルム映像がないと判定する（ステップＳ１００３）。フィルム映像がある場合はフィルム領域以外があるかどうかを判定するステップＳ１００４に入力され、全てがフィルム領域と判定された場合は全面フィルム映像と判定し（ステップＳ１００５）、フィルム領域外が含まれている場合は、フィルム領域以外と判定された領域を分割してフィルム検出するステップＳ１００６にて、更に分割された領域のフィルム映像検出を行う。この結果はフィルム領域があるかどうかを判定するステップＳ１００７に入力され、全てがフィルム領域以外となるまで繰り返し判定が行われ、全てがフィルム領域以外と判定された場合、フィルム映像領域以外に左右又は上下の領域を追加してフィルム映像検出を行う（ステップＳ１００８）。この結果はフィルム領域があるかどうかを判定するステップＳ１００９に入力され、全てがフィルム領域以外と判定された場合はフィルム映像領域以外を決定し（ステップＳ１０１０）、フィルム領域が含まれている場合は、フィルム領域以外と判定された領域を分割してフィルム検出するステップＳ１０１１にて、更に分割された領域のフィルム映像検出を行う。この結果はフィルム領域があるかどうかを判定するステップＳ１０１２に入力され、全てがフィルム領域以外となるまで繰り返し判定が行われ、全てがフィルム領域以外と判定された場合、フィルム映像領域以外を決定（ステップＳ１０１３）して処理が終了する。
【００２８】
《実施形態９》
図１１は、本発明の実施形態９のフィルム映像領域検出方法を示すフローチャートである。図１１によれば、入力された映像信号につき、画面を複数の領域に分割して分割された領域毎にフィルム検出するステップＳ１１０１にて、領域毎にフィルム映像検出を行う。この検出結果はフィルム領域があるかどうかを判定するステップＳ１１０２に入力され、フィルム領域がないと判定された場合はフィルム映像がないと判定する（ステップＳ１１０３）。フィルム映像がある場合はフィルム領域以外があるかどうかを判定するステップＳ１１０４に入力され、全てがフィルム領域と判定された場合は全面フィルム映像と判定し（ステップＳ１１０５）、フィルム領域外が含まれている場合は、フィルム領域以外と判定された領域の周辺を広げてその広げた領域を分割してフィルム検出するステップＳ１１０６にて、更に分割された領域のフィルム映像検出を行う。この結果はフィルム領域があるかどうかを判定するステップＳ１１０７に入力され、全てがフィルム領域以外となるまで繰り返し判定が行われ、全てがフィルム領域以外と判定された場合、フィルム映像領域以外を決定（ステップＳ１１０８）して処理が終了する。
【００２９】
《実施形態１０》
図１２は、本発明の実施形態１０のフィルム映像領域検出方法を示すフローチャートである。図１２によれば、入力された映像信号につき、画面を複数の領域に分割して分割された領域毎にフィルム検出するステップＳ１２０１にて、領域毎にフィルム映像検出を行う。この検出結果はフィルム領域があるかどうかを判定するステップＳ１２０２に入力され、フィルム領域がないと判定された場合はフィルム映像がないと判定する（ステップＳ１２０３）。フィルム映像がある場合はフィルム領域以外があるかどうかを判定するステップＳ１２０４に入力され、全てがフィルム領域と判定された場合は全面フィルム映像と判定し（ステップＳ１２０５）、フィルム領域外が含まれている場合は、フィルム領域以外と判定された領域を次フィールド又は次フレームにて分割してフィルム検出するステップＳ１２０６にて、更に分割された領域のフィルム映像検出を行う。この結果はフィルム領域があるかどうかを判定するステップＳ１２０７に入力され、全てがフィルム領域以外となるまで複数フィールド又は複数フレームにて繰り返し判定が行われ、全てがフィルム領域以外と判定された場合、フィルム映像領域以外を決定（ステップＳ１２０８）して処理が終了する。
【００３０】
《実施形態１１》
図１３は、本発明の実施形態１１のフィルム映像領域検出方法を示すフローチャートである。図１３によれば、入力された映像信号につき、画面を複数の領域に分割して分割された領域毎にフィルム検出するステップＳ１３０１にて、領域毎にフィルム映像検出を行う。この検出結果はフィルム領域があるかどうかを判定するステップＳ１３０２に入力され、フィルム領域がないと判定された場合はフィルム映像がないと判定する（ステップＳ１３０３）。フィルム映像がある場合はフィルム領域以外があるかどうかを判定するステップＳ１３０４に入力され、全てがフィルム領域と判定された場合は全面フィルム映像と判定し（ステップＳ１３０５）、フィルム領域外が含まれている場合は、フィルム領域以外と判定された領域を次フィールド又は次フレームにて分割してフィルム検出するステップＳ１３０６にて、更に分割された領域のフィルム映像検出を行う。この結果はフィルム領域があるかどうかを判定するステップＳ１３０７に入力され、全てがフィルム領域以外となるまで繰り返し判定が行われ、全てがフィルム領域以外と判定された場合、次フィールド又は次フレームにてフィルム映像領域以外に左右又は上下の領域を追加してフィルム映像検出を行う（ステップＳ１３０８）。この結果はフィルム領域があるかどうかを判定するステップＳ１３０９に入力され、全てがフィルム領域以外と判定された場合はフィルム映像領域以外を決定し（ステップＳ１３１０）、フィルム領域が含まれている場合は、フィルム領域以外と判定された領域を次フィールド又は次フレームにて分割してフィルム検出するステップＳ１３１１にて、更に分割された領域のフィルム映像検出を行う。この結果はフィルム領域があるかどうかを判定するステップＳ１３１２に入力され、全てがフィルム領域以外となるまで複数フィールド又は複数フレームにて繰り返し判定が行われ、全てがフィルム領域以外と判定された場合、フィルム映像領域以外を決定（ステップＳ１３１３）して処理が終了する。
【００３１】
《実施形態１２》
図１４は、本発明の実施形態１２のフィルム映像領域検出方法を示すフローチャートである。図１４によれば、入力された映像信号につき、画面を複数の領域に分割して分割された領域毎にフィルム検出するステップＳ１４０１にて、領域毎にフィルム映像検出を行う。この検出結果はフィルム領域があるかどうかを判定するステップＳ１４０２に入力され、フィルム領域がないと判定された場合はフィルム映像がないと判定する（ステップＳ１４０３）。フィルム映像がある場合はフィルム領域以外があるかどうかを判定するステップＳ１４０４に入力され、全てがフィルム領域と判定された場合は全面フィルム映像と判定し（ステップＳ１４０５）、フィルム領域外が含まれている場合は、フィルム領域以外と判定された領域の周辺を次フィールド又は次フレームにて広げてその広げた領域を分割してフィルム検出するステップＳ１４０６にて、更に分割された領域のフィルム映像検出を行う。この結果はフィルム領域があるかどうかを判定するステップＳ１４０７に入力され、全てがフィルム領域以外となるまで複数フィールド又は複数フレームにて繰り返し判定が行われ、全てがフィルム領域以外と判定された場合、フィルム映像領域以外を決定（ステップＳ１４０８）して処理が終了する。
【産業上の利用可能性】
【００３２】
以上説明してきたとおり、本発明に係るフィルム映像領域検出方法は、テレビジョン受像機において、フィルム映像の領域を検出することにより、入力映像信号に応じてインターレース・プログレッシブ変換、フレームレート変換、ノイズリダクション、輪郭補正等の処理や設定を切り換える映像処理方法として有用である。
【符号の説明】
【００３３】
１０，２０  画面全体
１１，２１  フィルム領域と判定されて細分割された領域
１２，２２  フィルム領域と判定されて更に分割された領域
【図１】
2010137084.tif 000003
【図２】
2010137084.tif 000004
【図３】
2010137084.tif 000005
【図４】
2010137084.tif 000006
【図５】
2010137084.tif 000007
【図６】
2010137084.tif 000008
【図７】
2010137084.tif 000009
【図８】
2010137084.tif 000010
【図９】
2010137084.tif 000011
【図１０】
2010137084.tif 000012
【図１１】
2010137084.tif 000013
【図１２】
2010137084.tif 000014
【図１３】
2010137084.tif 000015
【図１４】
2010137084.tif 000016
【国際調査報告】
2010137084.tif 000017
2010137084.tif 000018
2010137084.tif 000019
2010137084.tif 000020